(57)【要約】【課題】電子機器に搭載したウェブブラウザによってウェブサイトのアドレス情報などを含んで記録（登録）される「ブックマーク」データを分かり易い方法で表示・選択できる電子機器及び電子機器のデータ表示・選択方法及びウェブブラウザを提供することである。【解決手段】ネットワークに接続されているウェブサーバにアクセスする通信手段と、ウェブサーバが有するウェブサイトを閲覧するためのウェブブラウザと、を備えた電子機器において、ウェブブラウザで閲覧しているウェブサイトの画面データとアドレス情報に基づき、この画面データを縮小した縮小画面データを作成し、この縮小画面データと前記アドレス情報とを関連づけしたサムネイルデータを生成して記録し、所定の操作を行うと、記録してあるサムネイルデータを所定の個数まとめて一覧表示する。【選択図】　図５
2004030145.tif 000002
【特許請求の範囲】
【請求項１】
ネットワークに接続されているウェブサーバにアクセスする通信手段と、
前記ウェブサーバが有するウェブサイトを閲覧するためのウェブブラウザと、を備えた電子機器であって、
前記ウェブブラウザは、該ウェブブラウザで閲覧しているウェブサイトの画面データとアドレス情報に基づき、該画面データを縮小した縮小画面データを作成し、該縮小画面データと前記アドレス情報とを関連づけしたサムネイルデータを生成するサムネイル生成手段と、
前記サムネイル生成手段で生成したサムネイルデータを前記電子機器の所定の記録領域に記録するサムネイル記録手段と、
前記所定の記録領域に記録してあるサムネイルデータを所定の個数まとめて一覧表示するサムネイル表示手段と、
前記サムネイル表示手段で一覧表示されたサムネイルデータの中から所望のサムネイルデータを選択するサムネイル選択手段と、
前記サムネイル選択手段で選択したサムネイルデータを操作するサムネイル操作手段と、
を備えていること
を特徴とする電子機器。
【請求項２】
前記サムネイル操作手段は、前記サムネイル選択手段で選択したサムネイルデータのアドレス情報に従って所定のウェブサイトを画面表示すること
を特徴とする請求項１に記載の電子機器。
【請求項３】
前記サムネイル操作手段は、前記サムネイル選択手段で選択したサムネイルデータを前記サムネイル表示手段による一覧表示から消去すること
を特徴とする請求項１に記載の電子機器。
【請求項４】
前記サムネイル操作手段は、前記サムネイル選択手段で選択したサムネイルデータを前記サムネイル表示手段による一覧表示の所望の表示位置に移動できること
を特徴とする請求項１に記載の電子機器。
【請求項５】
前記サムネイル生成手段は、生成するサムネイルデータに所望のテキストデータを付加できること
を特徴とする請求項１に記載の電子機器。
【請求項６】
前記サムネイル操作手段は、前記付加したテキストデータを変更できること
を特徴とする請求項５に記載の電子機器。
【請求項７】
ネットワークに接続されているウェブサーバにアクセスする通信手段と、
前記ウェブサーバが有するウェブサイトを閲覧するためのウェブブラウザと、を備えた電子機器において、
前記ウェブブラウザで閲覧しているウェブサイトの画面データとアドレス情報に基づき、該画面データを縮小した縮小画面データを作成し、該縮小画面データと前記アドレス情報とを関連づけしたサムネイルデータを生成して記録し、
所定の操作を行うと、前記記録してあるサムネイルデータを所定の個数まとめて一覧表示すること
を特徴とする電子機器のデータ表示・選択方法。
【請求項８】
ネットワークに接続されているウェブサーバにアクセスする通信手段と、
前記ウェブサーバが有するウェブサイトを閲覧するためのウェブブラウザと、を備えた電子機器において、
前記ウェブブラウザで閲覧しているウェブサイトの画面データとアドレス情報に基づき、縮小画面データを作成し、該縮小画面データと前記アドレス情報とを関連づけしたサムネイルデータを生成して記録し、
所定の操作を行うと、前記記録してあるサムネイルデータを所定の個数まとめて一覧表示し、
該一覧表示されたサムネイルデータの中から所望のサムネイルデータを選択すると、所定の画面表示を行うこと
を特徴とする電子機器のデータ表示・選択方法。
【請求項９】
前記選択したサムネイルデータに関連づけされた前記アドレス情報に従い、所定のウェブサイトを画面表示すること
を特徴とする請求項８に記載の電子機器のデータ表示・選択方法。
【請求項１０】
前記選択したサムネイルデータを前記一覧表示から消去するして画面表示すること
を特徴とする請求項８に記載の電子機器のデータ表示・選択方法。
【請求項１１】
前記選択したサムネイルデータを前記一覧表示の所望の表示位置に移動して画面表示すること
を特徴とする請求項８に記載の電子機器のデータ表示・選択方法。
【請求項１２】
ネットワークに接続されているウェブサーバにアクセスする通信手段と、
を備えた電子機器に搭載するウェブブラウザであって、
前記ウェブブラウザは、該ウェブブラウザで閲覧しているウェブサイトの画面データとアドレス情報に基づき、該画面データを縮小した縮小画面データを作成し、該縮小画面データと前記アドレス情報とを関連づけしたサムネイルデータを生成するサムネイル生成手段と、
前記サムネイル生成手段で生成したサムネイルデータを前記電子機器の所定の記録領域に記録するサムネイル記録手段と、
前記所定の記録領域に記録してあるサムネイルデータを所定の個数まとめて一覧表示するサムネイル表示手段と、
前記サムネイル表示手段で一覧表示されたサムネイルデータの中から所望のサムネイルデータを選択するサムネイル選択手段と、
前記サムネイル選択手段で選択したサムネイルデータを操作するサムネイル操作手段と、
を備えていること
を特徴とするウェブブラウザ。
【請求項１３】
前記サムネイル操作手段は、前記サムネイル選択手段で選択したサムネイルデータのアドレス情報に従って所定のウェブサイトを画面表示すること
を特徴とする請求項１２に記載のウェブブラウザ。
【請求項１４】
前記サムネイル操作手段は、前記サムネイル選択手段で選択したサムネイルデータを前記サムネイル表示手段による一覧表示から消去すること
を特徴とする請求項１２に記載のウェブブラウザ。
【請求項１５】
前記サムネイル操作手段は、前記サムネイル選択手段で選択したサムネイルデータを前記サムネイル表示手段による一覧表示の所望の表示位置に移動できること
を特徴とする請求項１２に記載のウェブブラウザ。
【請求項１６】
前記サムネイル生成手段は、生成するサムネイルデータに所望のテキストデータを付加できること
を特徴とする請求項１２に記載のウェブブラウザ。
【請求項１７】
前記サムネイル操作手段は、前記付加したテキストデータを変更できること
を特徴とする請求項１６に記載のウェブブラウザ。
【発明の詳細な説明】
【０００１】
【発明の属する技術分野】
本発明は、電子機器及び電子機器のデータ表示・選択方法及びウェブブラウザに関する。詳しくは、電子機器に搭載したウェブブラウザで記録される「ブックマーク」データを分かり易い方法で表示・選択できる電子機器及び電子機器のデータ表示・選択方法及びウェブブラウザに関する。
【０００２】
【従来の技術】
従来技術において、パーソナルコンピュータなどの機器によってインターネット上の所望のウェブサイトを閲覧する場合、ウェブブラウザによってこのウェブサイトのアドレス（ＵＲＬ；Ｕｎｉｆｏｒｍ　Ｒｅｓｏｕｒｃｅ　Ｌｏｃａｔｏｒ）情報を入力したり、検索サイトでキーワード等を入力して検索したり、リンク（ハイパーリンク）されているウェブページを辿って行くことで、所望のウェブサイト（ウェブページ）を閲覧することができる。
【０００３】
一方、最近では、パーソナルコンピュータだけではなく、フラッシュメモリのようなリムーバブルメモリのリード／ライト装置、ハードディスクなどの記録装置、放送チューナ、ＣＤ（Ｃｏｍｐａｃｔ　Ｄｉｓｋ）やＤＶＤ（Ｄｉｇｉｔａｌ　Ｖｅｒｓａｔｉｌｅ　Ｄｉｓｋ）の記録／再生装置などの機能を複合的に組み合わせた電子機器が登場し、更に、このような電子機器に上述したウェブブラウザを搭載してウェブサイトを閲覧できる電子機器もあり、今後ウェブサイトへのアクセス（閲覧）は益々増加する傾向にある。
【０００４】
ところで、上述したパーソナルコンピュータや電子機器に搭載したウェブブラウザには、ユーザがウェブサイトにアクセスするためのアドレス情報（ＵＲＬ）やキーワードを入力したり、リンクをたどっていくなどの手間を省き、簡単にウェブサイトへ再訪できるように、気に入ったウェブサイトのアドレス情報（ＵＲＬ）を文字情報（テキストデータ）と関連づけした「ブックマーク」データ（以下、ブックマークと云う）として記録（登録）しておく機能があり、一度ブックマークで記録したウェブサイトを閲覧する場合、次回にこのウェブサイトを閲覧する際は、記録してあるブックマークを呼出し、所望のブックマークを選択するだけで、所望のウェブサイト（のウェブページ）が自動的にウェブブラウザに表示される。
【０００５】
例えば、図２０のように、パーソナルコンピュータや電子機器に搭載されたウェブブラウザ６００で、アドレス情報「ｈｔｔｐ：／／ｗｗｗ．ｓｅｋａｉｆｕｕｋｅｉ．ｃｏｍ」のウェブサイト「世界風景紀行」を閲覧している場合、このウェブサイトを「ブックマーク」として登録するときは、ウェブブラウザの「ブックマーク」ボタン６１０を選択する。
【０００６】
「ブックマーク」ボタン６１０を選択すると、図２１のようにウィンドウ（子画面）６３０が表示される。
【０００７】
ウィンドウ６３０内には、ウェブサイトをブックマークとして記録する「ブックマーク追加」ボタン６３１、記録してあるブックマークの消去や名前変更などの操作を行うための「ブックマーク整理」ボタン６３２と、「ウェブサイトＺ」、「レストラン情報」、「ｅ−ショッピング」など、ウェブサイト名やウェブサイトの特徴を表す名称で既に記録してあるブックマークを表示する一覧表示部６３５が表示される。
【０００８】
ここで、図２０のウェブサイト「世界風景紀行」を登録する場合は、図２１のウィンドウ６３０に表示された「ブックマーク追加」ボタン６３１を選択・操作することにより、ウェブサイトのアドレス情報「ｈｔｔｐ：／／ｗｗｗ．ｓｅｋａｉｆｕｕｋｅｉ．ｃｏｍ」と関連付けした「世界風景紀行」という文字情報（テキストデータ）が所定の記録部に記録（登録）される。
【０００９】
ウェブサイト「世界風景紀行」がブックマークとして記録されると、図２２に示すように、ウィンドウ６３０の一覧表示部６３５には、「世界風景紀行」という文字情報（テキストデータ）で登録されたブックマークが追加表示される。
【００１０】
そして、このブックマーク「世界風景紀行」を選択するとアドレス情報「ｈｔｔｐ：／／ｗｗｗ．ｓｅｋａｉｆｕｕｋｅｉ．ｃｏｍ」に従ってウェブサイト「世界風景紀行」にアクセスし、ウェブブラウザにウェブサイト「世界風景紀行」（のウェブページ）が表示される（図２０参照）。
【００１１】
【発明が解決しようとする課題】
しかしながら、上述したウェブブラウザにおけるブックマーク機能は、ウェブサイト（ウェブページ）のアドレス情報と文字情報（テキストデータ）を関連付て記録し、文字情報（テキストデータ）として一覧表示するので、お気に入りのウェブサイトを次々に追加登録してブックマークの数が増加していくと、文字情報（テキストデータ）の表示を見ただけではどのようなウェブサイトであったのかを直感的に判別することが難しく、ブックマークの選択に手間がかかってしまうという問題がある。
【００１２】
また、上述したようなリムーバブルメモリのリード／ライト装置、ハードディスクなどの記録装置、放送チューナ、ディスク媒体の記録／再生装置などの機能を複合的に組み合わせ、且つ、ウェブブラウザが搭載された電子機器が増加すると、これまでにウェブサイトの閲覧を行ったことがない不慣れなユーザの利用も増えることが考えられるので、ブックマークとして登録したウェブサイトを分かり易い方法で表示し、選択できるようにする必要がある。
【００１３】
従って、電子機器などに搭載したウェブブラウザによって記録（登録）される「ブックマーク」データを分かり易い方法で表示・選択できるようにすることに解決しなければならない課題を有する。
【００１４】
【課題を解決するための手段】
前記課題を解決するため、本発明に係る電子機器及び電子機器のデータ表示・選択方法及びウェブブラウザは次のような構成にすることである。
【００１５】
（１）ネットワークに接続されているウェブサーバにアクセスする通信手段と、前記ウェブサーバが有するウェブサイトを閲覧するためのウェブブラウザと、を備えた電子機器であって、前記ウェブブラウザは、該ウェブブラウザで閲覧しているウェブサイトの画面データとアドレス情報に基づき、該画面データを縮小した縮小画面データを作成し、該縮小画面データと前記アドレス情報とを関連づけしたサムネイルデータを生成するサムネイル生成手段と、前記サムネイル生成手段で生成したサムネイルデータを前記電子機器の所定の記録領域に記録するサムネイル記録手段と、前記所定の記録領域に記録してあるサムネイルデータを所定の個数まとめて一覧表示するサムネイル表示手段と、前記サムネイル表示手段で一覧表示されたサムネイルデータの中から所望のサムネイルデータを選択するサムネイル選択手段と、前記サムネイル選択手段で選択したサムネイルデータを操作するサムネイル操作手段と、を備えていることを特徴とする電子機器。
（２）前記サムネイル操作手段は、前記サムネイル選択手段で選択したサムネイルデータのアドレス情報に従って所定のウェブサイトを画面表示することを特徴とする（１）に記載の電子機器。
（３）前記サムネイル操作手段は、前記サムネイル選択手段で選択したサムネイルデータを前記サムネイル表示手段による一覧表示から消去することを特徴とする（１）に記載の電子機器。
（４）前記サムネイル操作手段は、前記サムネイル選択手段で選択したサムネイルデータを前記サムネイル表示手段による一覧表示の所望の表示位置に移動できることを特徴とする（１）に記載の電子機器。
（５）前記サムネイル生成手段は、生成するサムネイルデータに所望のテキストデータを付加できることを特徴とする（１）に記載の電子機器。
（６）前記サムネイル操作手段は、前記付加したテキストデータを変更できることを特徴とする（５）に記載の電子機器。
【００１６】
（７）ネットワークに接続されているウェブサーバにアクセスする通信手段と、前記ウェブサーバが有するウェブサイトを閲覧するためのウェブブラウザと、を備えた電子機器において、前記ウェブブラウザで閲覧しているウェブサイトの画面データとアドレス情報に基づき、該画面データを縮小した縮小画面データを作成し、該縮小画面データと前記アドレス情報とを関連づけしたサムネイルデータを生成して記録し、所定の操作を行うと、前記記録してあるサムネイルデータを所定の個数まとめて一覧表示することを特徴とする電子機器のデータ表示・選択方法。
（８）ネットワークに接続されているウェブサーバにアクセスする通信手段と、前記ウェブサーバが有するウェブサイトを閲覧するためのウェブブラウザと、を備えた電子機器において、前記ウェブブラウザで閲覧しているウェブサイトの画面データとアドレス情報に基づき、縮小画面データを作成し、該縮小画面データと前記アドレス情報とを関連づけしたサムネイルデータを生成して記録し、所定の操作を行うと、前記記録してあるサムネイルデータを所定の個数まとめて一覧表示し、該一覧表示されたサムネイルデータの中から所望のサムネイルデータを選択すると、所定の画面表示を行うことを特徴とする電子機器のデータ表示・選択方法。
（９）前記選択したサムネイルデータに関連づけされた前記アドレス情報に従い、所定のウェブサイトを画面表示することを特徴とする（８）に記載の電子機器のデータ表示・選択方法。
（１０）前記選択したサムネイルデータを前記一覧表示から消去するして画面表示することを特徴とする（８）に記載の電子機器のデータ表示・選択方法。
（１１）前記選択したサムネイルデータを前記一覧表示の所望の表示位置に移動して画面表示することを特徴とする（８）に記載の電子機器のデータ表示・選択方法。
【００１７】
（１２）ネットワークに接続されているウェブサーバにアクセスする通信手段と、を備えた電子機器に搭載するウェブブラウザであって、前記ウェブブラウザは、該ウェブブラウザで閲覧しているウェブサイトの画面データとアドレス情報に基づき、該画面データを縮小した縮小画面データを作成し、該縮小画面データと前記アドレス情報とを関連づけしたサムネイルデータを生成するサムネイル生成手段と、前記サムネイル生成手段で生成したサムネイルデータを前記電子機器の所定の記録領域に記録するサムネイル記録手段と、前記所定の記録領域に記録してあるサムネイルデータを所定の個数まとめて一覧表示するサムネイル表示手段と、前記サムネイル表示手段で一覧表示されたサムネイルデータの中から所望のサムネイルデータを選択するサムネイル選択手段と、前記サムネイル選択手段で選択したサムネイルデータを操作するサムネイル操作手段と、を備えていることを特徴とするウェブブラウザ。
（１３）前記サムネイル操作手段は、前記サムネイル選択手段で選択したサムネイルデータのアドレス情報に従って所定のウェブサイトを画面表示すること
を特徴とする（１２）に記載のウェブブラウザ。
（１４）前記サムネイル操作手段は、前記サムネイル選択手段で選択したサムネイルデータを前記サムネイル表示手段による一覧表示から消去することを特徴とする（１２）に記載のウェブブラウザ。
（１５）前記サムネイル操作手段は、前記サムネイル選択手段で選択したサムネイルデータを前記サムネイル表示手段による一覧表示の所望の表示位置に移動できることを特徴とする（１２）に記載のウェブブラウザ。
（１６）前記サムネイル生成手段は、生成するサムネイルデータに所望のテキストデータを付加できることを特徴とする（１２）に記載のウェブブラウザ。
（１７）前記サムネイル操作手段は、前記付加したテキストデータを変更できることを特徴とする（１６）に記載のウェブブラウザ。
【００１８】
上述したように、電子機器が有するウェブブラウザで閲覧しているウェブサイトの画面データとアドレス情報に基づき、縮小画面データを作成し、この縮小画面データとアドレス情報とを関連付けしたサムネイルデータを生成し、生成したサムネイルデータをブックマークとして記録し、所定の操作を行うと、ブックマークとして記録してあるサムネイルデータを所定の個数まとめて一覧表示するので、ブックマークを画像データとして判別・選択して操作できるようになる。
【００１９】
【発明の実施の形態】
次に、本発明に係る電子機器及び電子機器のデータ表示・選択方法及びウェブブラウザの実施の形態を図面を参照して説明する。但し、図面は専ら解説のためのものであって、本発明の技術的範囲を限定するものではない。
【００２０】
図１は、ウェブブラウザを搭載した電子機器１００と、ウェブサイト２１０を持つサーバ２００とから構成され、ネットワーク５０を介して接続されている。
【００２１】
電子機器１００は、ウェブブラウザを介してサーバ２００（サーバ２００ａ、２００ｂ・・・）の中からから所望のサーバを選択し、選択したサーバの有するウェブサイトをウェブブラウザによって閲覧することができる。
【００２２】
図２は、図１の電子機器１００の具体的な構成例を示したブロック図であり、電子機器１００と、モニタ装置１２０と、リモコン１１１とから構成されている。
【００２３】
電子機器１００は、操作部１０１と、通信部１０２と、記録部１０３と、出力部１０４と、制御部１０５と、を備えた構成となっている。なお、記録部１０３、通信部１０２は、電子機器１００に外部から接続する記録装置１１３、通信機器１１２とする構成としてもよい。
【００２４】
また、図３のようにディスク再生（記録）部１０６と、メモリリード・ライト部１０７と、チューナ部１０８などを内蔵した構成の機器であってもよく、また、電子機器１００とは別体の装置であるディスク再生（記録）装置１１６、メモリリード・ライト装置１１７、チューナ１１８を電子機器１００に接続する構成とすることも可能であり、これら各部１０６〜１０８と各装置１１６〜１１７を任意に組み合わせて機器を構成できることは勿論のことである。
【００２５】
電子機器１００の操作部１０１は、制御部１０５と接続され、機器に対する操作指示や入力データを機器内の各部に送るためのインターフェース部であり、リモコン１１１や機器に設けられたキー（図示せず）によって入力される機器の操作・指示や入力データなどの情報を制御部１０５に送る。
【００２６】
通信部１０２は、制御部１０５と接続され、インターネットなどのネットワーク５０と接続する機能を備えている。また、外部の通信機器１１２を介してネットワーク５０と接続するようにしてもよい。
【００２７】
記録部１０３は、図示していないＲＯＭ（Ｒｅａｄ　Ｏｎｌｙ　Ｍｅｍｏｒｙ）やＲＡＭ（Ｒａｎｄｏｍ　Ａｃｃｅｓｓ　Ｍｅｍｏｒｙ）、ハードディスク装置などを備え、機器の制御プログラム、ウェブブラウザなどのアプリケーション・プログラム（ソフトウェア）を予め記録しておき、制御部１０５に従ってこれらのプログラムを実行したり、サムネイルデータに関する情報など様々なデータを記録する。なお、ハードディスク装置は、図３の記録装置１１３のように電子機器１００とは別体の装置として接続するようにしてもよい。
【００２８】
なお、記録部１０３に記録されるサムネイルデータに関する情報とは、各サムネイルデータを管理する管理番号、各サムネイルデータの縮小画面データ、各サムネイルデータのファイル名、各サムネイルデータに関連づけされたウェブサイト（ウェブページ）のアドレス情報（ＵＲＬ）、一画面に表示するサムネイルデータの最大個数などである。
【００２９】
出力部１０４は、制御部１０５に従い、通信部１０２から送られてくるウェブサイトのデータ（画像、オーディオ、テキストなどのデータ）や図３のようにディスク再生（記録）部１０６、メモリリード・ライト部１０７、チューナ部１０８などからの映像データやオーディオデータをモニタ装置１２０のディスプレイ１２１やスピーカ１２２に出力する。
【００３０】
制御部１０５は、操作部１０１、通信部１０２、記録部１０３、出力部１０４（図３のディスク再生（記録）部１０６、メモリリード・ライト部１０７、チューナ部１０８）などと接続されており、操作部１０１を介して送られてくる機器の操作・指示や入力データなどの情報や、予め記録部１０３に記録されているプログラムなどに従い、各部の制御、各部間でやり取りされるデータの制御など、機器全体の制御を行う。
【００３１】
また、図３に示すディスク再生（記録）部１０６（ディスク再生（記録）装置１１６）は、制御部１０５と接続され、装着されたＤＶＤやＣＤ−Ｒなどのディスク１０に記録されているデータ・ファイル（オーディオ、画像、テキスト、制御データなど）を読み出して再生する（または、データファイルをディスク１０に記録する）。
【００３２】
メモリリード・ライト部１０７（メモリリード・ライト装置１１７）は、制御部１０５と接続され、装着されたメモリカードなどのリムーバブルメモリ２０に対して、データのリード／ライト（読み出し／書込み）する。
【００３３】
チューナ部１０８（チューナ１１８）は、制御部１０５と接続され、操作部１０１に操作指示に従い、所望の地上波放送や衛星放送を選択・受信した電波をデジタルデータに変換して制御部１０５に送る。
【００３４】
モニタ装置１２０は、ディスプレイ１２１やスピーカ１２２などによって構成され、電子機器１００の出力部１０４と接続し、電子機器１００の出力部１０４から送られてくる様々なデータを表示・再生する。
【００３５】
続いて、このような構成の電子機器１００の有するウェブブラウザについて説明する。
【００３６】
ウェブブラウザは、記録部１０３（のハードディスク装置など）に記録されたプログラム（ソフトウェア）であり、リモコン１１１などを操作すると、操作部１０１、制御部１０５を介して記録部１０３に記録されたプログラム（ソフトウェア）、即ち、ウェブブラウザが起動され、出力部１０４を介して、図４に示すような表示画面２００をディスプレイ１２１に表示する。
【００３７】
図４に示すウェブブラウザの表示画面２００は、操作ボタン部２１０と、アドレス情報入力／表示部２２０と、ウェブページ表示部２３０と、表示移動ボタン２４０などで構成される。
【００３８】
操作ボタン部２１０は、「戻る」ボタン２１１、「進む」ボタン２１２、「ホーム」ボタン２１３、「ブックマーク」ボタン２１４、「Ｗｅｂサイト一覧」ボタン２１５などウェブブラウザの機能を実行するための操作ボタンである。なお、これらの操作ボタン以外の操作ボタンを設けることができることは勿論のことである。
【００３９】
アドレス情報入力／表示部２２０は、閲覧したいウェブサイト（ウェブページ）のアドレス情報（ＵＲＬ）をユーザが直接入力したり、ウェブブラウザのウェブページ表示部２３０に表示しているウェブページのアドレス情報（ＵＲＬ）を自動的に表示する。
【００４０】
ウェブページ表示部２３０は、アドレス情報入力／表示部２２０に入力されたアドレス情報（ＵＲＬ）のウェブサイト（ウェブページ）からダウンロードしてきたデータ（オーディオ、画像、テキスト、制御データなど）を所定のレイアウト情報に従って表示する。
【００４１】
表示移動ボタン２４０は、ウェブページ表示部２３０の表示範囲を超えたウェブページである場合にウェブページ表示部２３０の上下左右何れかの端部に表示され、表示範囲を上下（又は左右）方向に移動させるための操作ボタンである。
【００４２】
続いて、ウェブブラウザの表示画面２００操作ボタン部２１０の各操作ボタンの機能について説明する。
【００４３】
操作ボタン部２１０の「戻る」ボタン２１１は、閲覧しているウェブページの直前に閲覧していたウェブページに移動するための操作ボタンであり、「進む」ボタン２１２は、閲覧しているウェブページにリンクされた次のウェブページに移動するための操作ボタンであり、「ホーム」ボタン２１３は、ウェブブラウザを起動したときに表示される初期設定したウェブページへ移動するための操作ボタンである。
【００４４】
また、「ブックマーク」ボタン２１４は、所望のウェブサイト（ウェブページ）のアドレス情報をブックマークとして記録（登録）する機能を実行させるための操作ボタンであり、閲覧しているウェブサイト（ウェブページ）のアドレス情報（ＵＲＬ；Ｕｎｉｆｏｒｍ　Ｒｅｓｏｕｒｃｅ　Ｌｏｃａｔｏｒ）とウェブページ表示部２３０に表示している画面データに基づいて縮小画面データを作成し、この縮小画面データとアドレス情報とを関連づけたサムネイルデータを生成し、生成したサムネイルデータをブックマークとして記録部１０３に記録する。
【００４５】
なお、サムネイルデータは、各サムネイルデータの縮小画面データ、各サムネイルデータに関連づけされたウェブサイト（ウェブページ）のアドレス情報（ＵＲＬ）と共に、サムネイルデータを管理する管理番号、サムネイルデータのファイル名など、管理に必要な情報と共に記録部１０３に記録される。
【００４６】
「Ｗｅｂサイト一覧」ボタン２１５は、記録部１０３に記録してあるサムネイルデータを所定の個数毎にまとめて画面上に一覧表示する機能を実行させるための操作ボタンである。例えば、図５に示すように、記録部１０３に記録してあるサムネイルデータ４０１〜４０７をまとめて一覧画面４００として画面上に表示する。
【００４７】
なお、記録部１０３にサムネイルデータが多数ある場合、サムネイルデータを所定の個数毎にまとめた別の一覧画面を作成し、作成した一覧画面を順次リモコン１１１の操作などにより切り換えて画面表示する。
【００４８】
また、一覧画面４００を画面表示させた状態で、引き続きリモコン１１１などによって所定の操作を行うと、図６に示すようにサムネイルデータを操作するための操作ウィンドウ４２０が（重畳）表示される。
【００４９】
操作ウィンドウ４２０には、「ウェブサイト閲覧」ボタン４２１、「ブックマーク消去」ボタン４２２、「サムネイル移動」ボタン４２３、「名前変更」ボタン４２４などサムネイルデータを操作するための操作ボタンが表示される。なお、これ以外の機能を実行させるための操作ボタンを設けてもよいことは勿論のことである。
【００５０】
「ウェブサイト閲覧」ボタン４２１は、選択したサムネイルデータのアドレス情報（ＵＲＬ）に従い、登録したウェブサイト（ウェブページ）から通信部１０５を介してデータ（オーディオ、画像、テキスト、制御データなど）をダウンロードし、所定のレイアウト情報に従ってウェブページ表示部２３０に表示させる機能を実行させるための操作ボタンである。
【００５１】
「ブックマーク消去」ボタン４２２は、選択したサムネイルデータを記録部１０３から消去する機能を実行させるための操作ボタンである。
【００５２】
「サムネイル移動」ボタン４２３は、選択したサムネイルデータを表示一覧の所望の表示位置に変更する（移動させる）機能を実行させるための操作ボタンである。
【００５３】
「名前変更」ボタン４２４は、サムネイルデータがテキストデータ（文字情報など）を含んでいる場合、選択したサムネイルデータのテキストデータをユーザが指定する任意のテキストデータに変更する機能を実行させるための操作ボタンである。
【００５４】
このようなウェブブラウザを有する電子機器の具体的な動作について説明する。
【００５５】
まず、閲覧しているウェブサイトをブックマークとして記録（登録）する場合について図７のフローチャートを参照しながら説明する。
【００５６】
リモコン１１１を操作して電子機器１００の有するウェブブラウザを起動させ、通信部１０２を介してネットワーク５０に接続し、所望のサーバ２００にアクセスしてウェブサイト２０１の閲覧を行う（ＳＴ１００、ＳＴ１１０）。
【００５７】
例えば、ウェブブラウザで図４に示したウェブサイトＨを閲覧している場合は、モニタ装置１２０のディスプレイ１２１に、操作ボタン部２１０とウェブサイトＨのアドレス情報「ｈｔｔｐ：／／ｗｗｗ．ｗｅｂｓｉｔｅＨ．ｃｏｍ」を表示したアドレス情報入力／表示部２２０と、ウェブサイトＨからダウンロードしてきたデータ（オーディオ、画像、テキストデータなど）及び表示移動ボタン２４０などが所定のレイアウト情報に従って表示される。
【００５８】
そして、例えば、閲覧しているウェブサイトＨ（のウェブページ）をブックマークとして登録する場合、ウェブブラウザの操作ボタン部２１０の「ブックマーク」ボタン２１４を選択・操作する（ＳＴ１２０）。
【００５９】
「ブックマーク」ボタン２１４が選択・操作されると、ウェブブラウザは、アドレス情報入力／表示部２２０に表示されているアドレス情報（ＵＲＬ）とウェブページ表示部２３０に表示している画面データに基づいて縮小画面データを作成し（ＳＴ１３０）、作成した縮小画面データとアドレス情報とを関連づけたサムネイルデータを生成し（ＳＴ１４０）、生成したサムネイルデータをブックマークとして記録部１０３に記録する（ＳＴ１５０）。
【００６０】
そして、ウェブブラウザの操作ボタン部２１０の「Ｗｅｂサイト一覧」ボタン２１５を選択・操作すると、図８のように、記録部１０３に既に記録してあるサムネイルデータ４０１〜４０７と共に、ウェブサイトＨのブックマークとし記録したサムネイルデータ４０８が追加され、ディスプレイ１２１にはサムネイルデータ４０１〜４０８をまとめた一覧画面４００が表示される。
【００６１】
続いて、ブックマークとして記録（登録）したサムネイルデータを操作する場合について図９のフローチャートを参照しながら説明する。
【００６２】
リモコン１１１を操作して電子機器１００の有するウェブブラウザを起動させ、ウェブブラウザの「Ｗｅｂサイト一覧」ボタン２１５を選択・操作すると、記録部１０３に記録してある所定の個数のサムネイルデータを呼出すと、例えば、サムネイルデータ４０１〜４０７をまとめた一覧画面４００（図５参照）がディスプレイ１２１に表示される（ＳＴ２００、ＳＴ２１０）。
【００６３】
次に、リモコン１１１などによって操作したいサムネイルデータを選択する。例えば、図１０に示すようにウェブサイトＦのサムネイルデータ４０６を選択すると、サムネイルデータ４０６の周囲がハイライトで囲まれたりするなど、選択されたことがわかるような表示に変化する（ＳＴ２２０）。
【００６４】
続いて、リモコン１１１などにより所定の操作を行うと、サムネイルを操作するための操作ウィンドウ４２０が（重畳）表示される（図６参照）。
【００６５】
ここで、操作ウィンドウ４２０に表示された操作ボタンの中から実行した操作ボタンをリモコン１１１などによって選択すると、選択された操作ボタンの周囲がハイライトで囲まれたりするなど、選択されたことがわかるような表示に変化する（ＳＴ２３０）。
【００６６】
図１１のように「ウェブサイト閲覧」ボタン４２１を選択・操作した場合、ウェブブラウザが自動的に起動され、電子機器１００の通信部１０５を介してサムネイルデータ４０６に関連付けされたウェブサイトＦのアドレス情報（ＵＲＬ）「ｈｔｔｐ：／／ｗｗｗ．ｗｅｂｓｉｔｅＦ．ｃｏｍ」に従ってウェブサイトＦ（のウェブページ）にアクセスし、ウェブサイトＦ（のウェブページ）からデータ（オーディオ、画像、テキスト、制御データなど）をダウンロードし、所定のレイアウト情報に従ってウェブブラウザのウェブページ表示部２３０に表示させることで、ウェブサイトＦを閲覧ができる（図１２参照）。
【００６７】
また、図１３のように「ウェブサイト消去」ボタン４２２を選択・操作した場合、選択したウェブサイトＦのサムネイルデータ４０６を電子機器１００の記録部１０３から消去する。記録部１０３からのサムネイルデータ４０６が消去されると、ディスプレイ１２１に表示されていたウェブサイトＦのサムネイルデータ４０６の表示が消え、サムネイルデータ４０１〜４０５、４０７が一覧画面４００として表示される（図１４参照）。
【００６８】
また、図１５のように「サムネイル移動」ボタン４２３を選択・操作した場合、一覧表示されているサムネイルデータ４０１〜４０８の表示位置に対応する箇所にマーカ４４１〜４４７が表示される。
【００６９】
そして、リモコン１１１などで選択したウェブサイトＦのサムネイルデータ４０６を移動させたい場所のマーカを指定する、例えば、サムネイルデータ４０２の表示位置に対応する箇所のマーカ４４２を指定すると、選択されたマーカ４４２は、選択されたことがわかるような表示（色反転、点滅など）に変化する。
【００７０】
続いて、リモコン１１１などで所定の操作を行うと、選択したサムネイルデータ４０６と、指定したマーカ４４２に対応したサムネイルデータ４０２の表示位置の入れ替えが行われ、ディスプレイ１２１上の一覧画面４００は、サムネイルデータ４０２とサムネイルデータ４０６の表示位置が入れ替わって表示される。なお、図１５、１６のマーカ４４１〜４４７以外の方法でサムネイルデータの表示位置に対応する箇所を示すようにしてもよいことは勿論のことである。
【００７１】
また、図１７に示すように、サムネイルデータ４０１〜４０７がテキストデータ（文字情報）を含んだ（関連づけた）サムネイルデータである場合、サムネイルデータ４０１〜４０７とともにテキストデータ（文字情報）を付加した一覧画面４００Ａをディスプレイ１２１に表示することもできる。
【００７２】
この場合、一覧画面４００Ａのテキストデータ（文字情報）を変更することが可能であり、テキストデータを変更したいサムネイルデータを選択する、例えば、サムネイルデータ４０７を選択すると、サムネイルデータ４０７と共にテキストデータ「ウェブサイトＧ」の画面表示は、選択されたことがわかるような表示（色反転、点滅など）に変化する。
【００７３】
引き続いて、リモコン１１１などの操作によって操作ウィンドウ４２０を（重畳）表示させ、「名前変更」ボタン４２４を選択・操作すると、選択したサムネイルデータ４０７のテキストデータが変更可能な状態となり、例えば、「ウェブサイトＧ」を「レストラン情報」などの別の名前（テキストデータ）に変更すると、図１９に示すように、サムネイルデータ４０７のテキストデータが「ウェブサイトＧ」から「レストラン情報」に変更され、一覧画面４００Ａに表示されるので、ユーザが分かり易いような名称（テキストデータ）に変更することができる。
【００７４】
【発明の効果】
以上説明したように、電子機器が有するウェブブラウザで閲覧しているウェブサイトの画面データとアドレス情報に基づき、縮小画面データを作成し、この縮小画面データとアドレス情報とを関連付けしたサムネイルデータを生成し、生成したサムネイルデータをブックマークとして記録する。そして、リモコン等で所定の操作を行うと、ブックマークとして記録してあるサムネイルデータを一覧表示し、この一覧表示されたサムネイルデータの中から所望のサムネイルデータ、即ち、ブックマークを選択し、サムネイルデータに関連づけされたアドレス情報に従って所定のウェブサイトを閲覧したり、ブックマークの消去、移動などの操作を行うので、ユーザは、ブックマークを画像として視覚的に容易に判別できるようになり、ブックマークの選択・操作をスムーズに行うことができるという極めて優れた効果を奏する。
【００７５】
また、テキストデータ（文字情報）を含んだサムネイルデータによってブックマークの一覧表示を行い、このテキストデータ（文字情報）を変更できるようにすることで、テキストデータ（文字情報）をユーザ自身が分かり易い名前（名称）に任意に変更することが可能となり、ブックマークの一覧表示や選択が更に分かり易くなるというメリットがある。
【図面の簡単な説明】
【図１】本発明に係る電子機器の利用形態を略示的に示した説明図である。
【図２】本発明に係る電子機器の基本的な構成を略示的に示したブロック図である。
【図３】図２に示した電子機器に様々な機能を付加した（組み合わせた）場合の構成例を略示的に示したブロック図である。
【図４】図２又は図３に示した電子機器の有するウェブブラウザの一例を略示的に示した説明図である。
【図５】図４のウェブブラウザによりサムネイルを一覧表示した場合の一例を略示的に示した説明図である。
【図６】図５に示した一覧表示されたサムネイルを操作するための操作ウィンドウを（重畳）表示した場合の一例を略示的に示した説明図である。
【図７】図２又は図３に示した電子機器の有するウェブブラウザで、ブックマークを登録する場合の手順を示したフローチャートである。
【図８】図７に示した手順に従いサムネイルデータをブックマークを登録したのち、サムネイルを一覧表示した状態を略示的に示した説明図である。
【図９】図２又は図３に示した電子機器の有するウェブブラウザで、ブックマークとして登録したサムネイルを操作する場合の手順を示したフローチャートである。
【図１０】図４のウェブブラウザによりサムネイルを一覧表示し、表示されたサムネイルの中から所望のサムネイルを選択した状態を略示的に示した説明図である。
【図１１】図１０で選択したサムネイルで登録されたウェブサイトの閲覧を選択した状態を略示的に示した説明図である。
【図１２】図１１で選択したウェブサイトが表示された状態を略示的に示した説明図である。
【図１３】図１０で選択したサムネイル（に対応したブックマーク）の消去を選択した状態を略示的に示した説明図である。
【図１４】図１３で選択したサムネイル（に対応したブックマーク）が消去された状態を略示的に示した説明図である。
【図１５】図１０で選択したサムネイルの表示位置変更を選択した状態を略示的に示した説明図である。
【図１６】図１５で選択したサムネイルの表示位置の変更が行われた状態を略示的に示した説明図である。
【図１７】図４のウェブブラウザによりテキストデータを有するサムネイルを一覧表示し、表示されたサムネイルの中から所望のサムネイルを選択した状態を略示的に示した説明図である。
【図１８】図１７で選択したサムネイルのテキストデータの変更を選択した状態を略示的に示した説明図である。
【図１９】図１７で選択したサムネイルのテキストデータが変更された状態を略示的に示した説明図である。
【図２０】従来の電子機器の有するウェブブラウザの一例を略示的に示した説明図である。
【図２１】図２０で示したウェブブラウザにより、ブックマーク登録を行う場合について略示的に示した説明図である。
【図２２】図２０で示したウェブブラウザにより、ブックマーク登録が行われた状態を略示的に示した説明図である。
【符号の説明】
５０；ネットワーク、１００ａ，１００ｂ；電子機器、２００；サーバ、２００ａ；サーバＡ、２０１ａ；ウェブサイトＡ、２００ｂ；サーバＢ、２０１ｂ；ウェブサイトＢ、２００ｈ；サーバＨ、２０１ｈ；ウェブサイトＨ
１００；電子機器、１０１；操作部、１０２；通信部、１０３；記録部、１０４；出力部、１０５；制御部、１１１；リモコン、１１２；通信機器、１１３；記録装置、１０６；ディスク再生（記録）部、１０７；メモリリード・ライト部、１０８；チューナ部、１１６；ディスク再生（記録）装置、１１７；メモリリード・ライト装置、１１８；チューナ、１０；ディスク、２０；リムーバブルメモリ、１２０；モニタ装置、１２１；ディスプレイ、１２２；スピーカ
２００；表示画面、２１０；操作ボタン部、２１１；「戻る」ボタン、２１２；「進む」ボタン、２１３；「ホーム」ボタン、２１４；「ブックマーク」ボタン、２１５；「Ｗｅｂサイト一覧」ボタン、２２０；アドレス情報入力／表示部、２３０；ウェブページ表示部、２４０；表示移動ボタン
４００；一覧画面、４０１〜４０８；サムネイル、４２０；操作ウィンドウ、４２１；「ウェブサイト閲覧」ボタン、４２２；「ブックマーク消去」ボタン、４２３；「サムネイル移動」ボタン、４２４；「名前変更」ボタン、４４１〜４４７；マーカ
４００Ａ；一覧画面（テキストデータ（文字情報）付き）
６００；ウェブブラウザ、６１０；ブックマークボタン、６２０；アドレス情報表示部、６３０；ウィンドウ（子画面）、６３１；「ブックマーク追加」ボタン、６３２；「ブックマーク整理」ボタン、６３５；一覧表示部
【図１】
2004030145.tif 000003
【図２】
2004030145.tif 000004
【図３】
2004030145.tif 000005
【図４】
2004030145.tif 000006
【図５】
2004030145.tif 000007
【図６】
2004030145.tif 000008
【図７】
2004030145.tif 000009
【図８】
2004030145.tif 000010
【図９】
2004030145.tif 000011
【図１０】
2004030145.tif 000012
【図１１】
2004030145.tif 000013
【図１２】
2004030145.tif 000014
【図１３】
2004030145.tif 000015
【図１４】
2004030145.tif 000016
【図１５】
2004030145.tif 000017
【図１６】
2004030145.tif 000018
【図１７】
2004030145.tif 000019
【図１８】
2004030145.tif 000020
【図１９】
2004030145.tif 000021
【図２０】
2004030145.tif 000022
【図２１】
2004030145.tif 000023
【図２２】
2004030145.tif 000024